【手続補正書】
【提出日】令和2年8月13日(2020.8.13)
【手続補正１】
【補正対象書類名】明細書
【補正対象項目名】００５０
【補正方法】変更
【補正の内容】
【００５０】
項目８は、結合層が光学的に透明な接着剤を含む、項目６又は７に記載のウィンドウフィルムである。さらに別の実施形態について以下、述べる。
［１］
フレキシブル有機発光ダイオード（ＯＬＥＤ）ディスプレイデバイスであって、
カバーウィンドウフィルムを有する上部モジュールと、
下部モジュールと、
前記上部モジュールと前記下部モジュールとの間にあり、有機発光ダイオード（ＯＬＥＤ）、及び前記有機発光ダイオード（ＯＬＥＤ）と前記下部モジュールとの間の有機発光ダイオード（ＯＬＥＤ）基板を含むディスプレイモジュールと、
前記有機発光ダイオード（ＯＬＥＤ）と前記上部モジュールとの間のタッチセンサと、を備え、
前記上部モジュールは第１のヤング率を有し、前記下部モジュールは第２のヤング率を有し、前記第１のヤング率は前記第２のヤング率とは異なり、
（ＬＳ／ＴＷ）＞０．００１であり、式中、Ｌが前記下部モジュールの剛性であり、Ｓが前記有機発光ダイオード（ＯＬＥＤ）基板の剛性であり、Ｔが前記タッチセンサの剛性であり、Ｗが前記カバーウィンドウフィルムの剛性である、フレキシブル有機発光ダイオード（ＯＬＥＤ）ディスプレイデバイス。
［２］
（ＬＳ／ＴＷ）＞０．０７である、［１］に記載のディスプレイデバイス。
［３］
（ＬＳ／ＴＷ）＞１．２である、［１］に記載のディスプレイデバイス。
［４］
前記カバーウィンドウフィルムと前記タッチセンサとの間の第１結合層と、前記タッチセンサと前記有機発光ダイオード（ＯＬＥＤ）との間の第２結合層と、前記有機発光ダイオード（ＯＬＥＤ）基板と前記下部モジュールとの間の第３結合層と、を更に含む、［１］に記載のディスプレイデバイス。
［５］
前記第１結合層の剪断弾性率は、室温で１５０ｋＰａより大きい、［４］に記載のディスプレイデバイス。
［６］
前記第１及び第２の結合層は各々光学的に透明な接着剤を含む、［４］に記載のディスプレイデバイス。
［７］
前記カバーウィンドウフィルムは、薄いガラスを含む、［１］に記載のディスプレイデバイス。
［８］
フレキシブル有機発光ダイオード（ＯＬＥＤ）ディスプレイデバイスであって、
カバーウィンドウフィルムを有する上部モジュールと、
下部モジュールと、
前記上部モジュールと前記下部モジュールとの間にあり、有機発光ダイオード（ＯＬＥＤ）、及び前記有機発光ダイオード（ＯＬＥＤ）と前記下部モジュールとの間の有機発光ダイオード（ＯＬＥＤ）基板を含むディスプレイモジュールと、
前記有機発光ダイオード（ＯＬＥＤ）と前記上部モジュールとの間の円偏光子と、を備え、
前記上部モジュールは第１のヤング率を有し、前記下部モジュールは第２のヤング率を有し、前記第１のヤング率は前記第２のヤング率とは異なり、
（ＬＳ／（ＣＰ）Ｗ）＞０．００４であり、式中、Ｌが前記下部モジュールの剛性であり、Ｓが前記有機発光ダイオード（ＯＬＥＤ）基板の剛性であり、ＣＰが前記円偏光子の剛性であり、Ｗが前記カバーウィンドウフィルムの剛性である、フレキシブル有機発光ダイオード（ＯＬＥＤ）ディスプレイデバイス。
［９］
（ＬＳ／（ＣＰ）Ｗ）＞０．０２である、［８］に記載のディスプレイデバイス。
［１０］
（ＬＳ／（ＣＰ）Ｗ）＞０．２５である、［８］に記載のディスプレイデバイス。
［１１］
前記有機発光ダイオード（ＯＬＥＤ）は、タッチセンサを含む、［８］に記載のディスプレイデバイス。
［１２］
前記カバーウィンドウフィルムと前記円偏光子との間の第１結合層と、前記有機発光ダイオード（ＯＬＥＤ）基板と前記下部モジュールとの間の第２結合層と、を更に含む、［８］に記載のディスプレイデバイス。
［１３］
前記第１結合層の剪断弾性率は、室温で１５０ｋＰａより大きい、［１２］に記載のディスプレイデバイス。
［１４］
前記第１結合層は、光学的に透明な接着剤を含む、［１２］に記載のディスプレイデバイス。
［１５］
前記カバーウィンドウフィルムは薄いガラスを含む、［８］に記載のディスプレイデバイス。
［１６］
フレキシブル有機発光ダイオード（ＯＬＥＤ）ディスプレイデバイスであって、
カバーウィンドウフィルムを有する上部モジュールと、
下部モジュールと、
前記上部モジュールと前記下部モジュールとの間にあり、有機発光ダイオード（ＯＬＥＤ）、及び前記有機発光ダイオード（ＯＬＥＤ）と前記下部モジュールとの間の有機発光ダイオード（ＯＬＥＤ）基板を含むディスプレイモジュールと、を備え、
前記上部モジュールは第１のヤング率を有し、前記下部モジュールは第２のヤング率を有し、前記第１のヤング率は前記第２のヤング率とは異なり、
（ＬＳ／Ｗ２）＞４×１０−６であり、式中、Ｌが前記下部モジュールの剛性であり、Ｓが前記有機発光ダイオード（ＯＬＥＤ）基板の剛性であり、Ｗが前記カバーウィンドウフィルムの剛性である、フレキシブル有機発光ダイオード（ＯＬＥＤ）ディスプレイデバイス。
［１７］
（ＬＳ／Ｗ２）＞４×１０−５である、［１６］に記載のディスプレイデバイス。
［１８］
（ＬＳ／Ｗ２）＞０．００２である、［１６］に記載のディスプレイデバイス。
［１９］
前記有機発光ダイオード（ＯＬＥＤ）は、タッチセンサを含む、［１６］に記載のディスプレイデバイス。
［２０］
前記カバーウィンドウフィルムと前記有機発光ダイオード（ＯＬＥＤ）との間の第１結合層と、前記有機発光ダイオード（ＯＬＥＤ）基板と前記下部モジュールとの間の第２結合層と、を更に含む、［１６］に記載のディスプレイデバイス。
［２１］
前記第１結合層の剪断弾性率は、室温で１５０ｋＰａより大きい、［２０］に記載のディスプレイデバイス。
［２２］
前記第１結合層は、光学的に透明な接着剤を含む、［２０］に記載のディスプレイデバイス。
［２３］
前記カバーウィンドウフィルムは、薄いガラスを含む、［１６］に記載のディスプレイデバイス。
【手続補正２】
【補正対象書類名】特許請求の範囲
【補正対象項目名】全文
【補正方法】変更
【補正の内容】
【特許請求の範囲】
【請求項１】
フレキシブル有機発光ダイオード（ＯＬＥＤ）ディスプレイデバイスであって、
カバーウィンドウフィルムを有する上部モジュールと、
下部モジュールと、
前記上部モジュールと前記下部モジュールとの間にあり、有機発光ダイオード（ＯＬＥＤ）、及び前記有機発光ダイオード（ＯＬＥＤ）と前記下部モジュールとの間の有機発光ダイオード（ＯＬＥＤ）基板を含むディスプレイモジュールと、
前記有機発光ダイオード（ＯＬＥＤ）と前記上部モジュールとの間のタッチセンサと、を備え、
前記上部モジュールは第１のヤング率を有し、前記下部モジュールは第２のヤング率を有し、前記第１のヤング率は前記第２のヤング率とは異なり、
（ＬＳ／ＴＷ）＞０．００１であり、式中、Ｌが前記下部モジュールの剛性であり、Ｓが前記有機発光ダイオード（ＯＬＥＤ）基板の剛性であり、Ｔが前記タッチセンサの剛性であり、Ｗが前記カバーウィンドウフィルムの剛性である、フレキシブル有機発光ダイオード（ＯＬＥＤ）ディスプレイデバイス。
【請求項２】
（ＬＳ／ＴＷ）＞０．０７である、請求項１に記載のディスプレイデバイス。
【請求項３】
前記カバーウィンドウフィルムと前記タッチセンサとの間の第１結合層と、前記タッチセンサと前記有機発光ダイオード（ＯＬＥＤ）との間の第２結合層と、前記有機発光ダイオード（ＯＬＥＤ）基板と前記下部モジュールとの間の第３結合層と、を更に含む、請求項１に記載のディスプレイデバイス。
【請求項４】
フレキシブル有機発光ダイオード（ＯＬＥＤ）ディスプレイデバイスであって、
カバーウィンドウフィルムを有する上部モジュールと、
下部モジュールと、
前記上部モジュールと前記下部モジュールとの間にあり、有機発光ダイオード（ＯＬＥＤ）、及び前記有機発光ダイオード（ＯＬＥＤ）と前記下部モジュールとの間の有機発光ダイオード（ＯＬＥＤ）基板を含むディスプレイモジュールと、
前記有機発光ダイオード（ＯＬＥＤ）と前記上部モジュールとの間の円偏光子と、を備え、
前記上部モジュールは第１のヤング率を有し、前記下部モジュールは第２のヤング率を有し、前記第１のヤング率は前記第２のヤング率とは異なり、
（ＬＳ／（ＣＰ）Ｗ）＞０．００４であり、式中、Ｌが前記下部モジュールの剛性であり、Ｓが前記有機発光ダイオード（ＯＬＥＤ）基板の剛性であり、ＣＰが前記円偏光子の剛性であり、Ｗが前記カバーウィンドウフィルムの剛性である、フレキシブル有機発光ダイオード（ＯＬＥＤ）ディスプレイデバイス。
【請求項５】
（ＬＳ／（ＣＰ）Ｗ）＞０．０２である、請求項４に記載のディスプレイデバイス。
【請求項６】
前記カバーウィンドウフィルムと前記円偏光子との間の第１結合層と、前記有機発光ダイオード（ＯＬＥＤ）基板と前記下部モジュールとの間の第２結合層と、を更に含む、請求項４に記載のディスプレイデバイス。
【請求項７】
フレキシブル有機発光ダイオード（ＯＬＥＤ）ディスプレイデバイスであって、
カバーウィンドウフィルムを有する上部モジュールと、
下部モジュールと、
前記上部モジュールと前記下部モジュールとの間にあり、有機発光ダイオード（ＯＬＥＤ）、及び前記有機発光ダイオード（ＯＬＥＤ）と前記下部モジュールとの間の有機発光ダイオード（ＯＬＥＤ）基板を含むディスプレイモジュールと、を備え、
前記上部モジュールは第１のヤング率を有し、前記下部モジュールは第２のヤング率を有し、前記第１のヤング率は前記第２のヤング率とは異なり、
（ＬＳ／Ｗ２）＞４×１０−６であり、式中、Ｌが前記下部モジュールの剛性であり、Ｓが前記有機発光ダイオード（ＯＬＥＤ）基板の剛性であり、Ｗが前記カバーウィンドウフィルムの剛性である、フレキシブル有機発光ダイオード（ＯＬＥＤ）ディスプレイデバイス。
【請求項８】
（ＬＳ／Ｗ２）＞４×１０−５である、請求項７に記載のディスプレイデバイス。
【請求項９】
前記カバーウィンドウフィルムと前記有機発光ダイオード（ＯＬＥＤ）との間の第１結合層と、前記有機発光ダイオード（ＯＬＥＤ）基板と前記下部モジュールとの間の第２結合層と、を更に含む、請求項７に記載のディスプレイデバイス。